(57)【要約】【課題】  漏れ磁束を低減する。【解決手段】  永久磁石Ｎ，Ｓを保持する一対のプレート１３，１４の外周部を折り曲げ、その端部が互いに対向する構造を採用することにより、折曲部１５，１６に磁路を形成し漏れ磁束を低減する。【選択図】        図１
2015228756.tif 000002
【特許請求の範囲】
【請求項１】
円環状に隣接配置した複数の電機子巻線により固定子を構成し、当該電機子巻線と一定距離隔てて円環状に隣接配置した複数の永久磁石により回転子を構成してなる発電機において、永久磁石を保持する回転子の一対のプレートの外周部を折り曲げ、その端部が相互に対向するように構成したことを特徴とする発電機の固定子構造。
【請求項２】
前記プレートの折り曲げ寸法を、前記永久磁石の厚さ寸法の５０％〜７０％の範囲内に設定することを特徴とする請求項１記載の発電機の固定子構造。
【発明の詳細な説明】
【技術分野】
【０００１】
本発明は、漏れ磁束を低減することのできる発電機の回転子構造に関する。
【背景技術】
【０００２】
従来からアキシャルギャップ型の発電機は知られている。アキシャルギャップとは回転子と固定子のギャップを回転軸の軸方向に設けたものであり、例えば、下記特許文献１に従来技術として記載されている。
【先行技術文献】
【特許文献】
【０００３】
【特許文献１】特開２００２−２４７８２２
【０００４】
上記発電機を図３に示す。図３（ａ）に示すように、アキシャルギャップ型発電機の回転子１は極性が互いに異なる永久磁石Ｎ，Ｓを環状に隣接配置して構成されており、同図（ｂ）に示すように、上下の回転軸２，３に連結する平面形状が円形のプレート４，５に固定される。
【０００５】
上下の回転軸２，３には、軸受６，７を介して発電機ケース（以下、外被という）８が前記回転子１を囲繞する格好で取り付けられており、外被８の内側中央には、上下の回転子１との間にギャップを形成して固定子９が取り付けられている。
【０００６】
固定子９の構造は上記特許文献１に図示されていないが、図４に示すように、平面形状が環状のコイル支持枠１０に、回転子１の永久磁石Ｎ，Ｓと対向してコイル１１が環状に配置されている。
【０００７】
このように構成した発電機Ｂは、図３（ｂ）に示す回転軸２，３の回転に伴い、永久磁石Ｎ，Ｓがコイル１１に対して回転移動して交番磁束がコイル１１に鎖交する結果、コイル１１に電磁誘導作用による起電力を発生させる。
【発明の概要】
【発明が解決しようとする課題】
【０００８】
しかし、図３に示す構造の発電機Ｂは、所謂コアレス型であるので、コア付き型と比較して漏れ磁束が多くなる。漏れ磁束が多くなることにより発電機Ｂの外被８を金属製とした場合、漏れ磁束に基づく渦電流が発生する。
【０００９】
外被８に渦電流が流れると渦電流損が発生するため、発電機の発電効率が悪化することとなる。
【００１０】
本発明は上記欠点を解消すべく、外被８を金属製とした場合でも、渦電流損を低減でき、発電機の発電効率を向上させることのできる発電機の回転子構造を提案するものである。
【課題を解決するための手段】
【００１１】
請求項１記載の発電機の回転子構造は、円環状に隣接配置した複数の電機子巻線により固定子を構成し、当該電機子巻線と一定距離隔てて円環状に隣接配置した複数の永久磁石により回転子を構成してなる発電機において、永久磁石を保持する回転子の一対のプレートの外周部を内側に折り曲げ、その端部が互いに対向するように構成したことに特徴を有する。
【００１２】
請求項２記載の発電機の回転子構造は、請求項１記載の発電機の回転子構造において、前記プレートの折り曲げ寸法を、前記永久磁石の厚さ寸法の５０％〜７０％の範囲内に設定することに特徴を有する。
【発明の効果】
【００１３】
請求項１記載の発電機の回転子構造によれば、永久磁石を取り付けるプレートの外周部を内側に折り曲げることにより、漏れ磁束を低減することができる。
【００１４】
請求項２記載の発電機の回転子構造によれば、一対の前記プレート間の短絡磁束を極力抑制しつつ漏れ磁束を低減することができる。
【図面の簡単な説明】
【００１５】
【図１】本発明の発電機を示す側面図である。
【図２】本発明の発電機の回転子構造を示す要部拡大斜視図である。
【図３】一般的なアキシャルギャップ型発電機を示す平面図と側面図である。
【図４】一般的なアキシャルギャップ型発電機の固定子構造を示す平面図である。
【発明を実施するための形態】
【００１６】
以下、本発明の実施の形態を図１及び図２により説明する。図１は本発明に係る発電機Ａの側面図である。図１に示すように、本発明に係る発電機Ａの構造は図３（ｂ）に示す一般的なアキシャルギャップ型発電機Ｂとほぼ同一であるので、同一構造である部分については同一符号を付してその説明を割愛する。
【００１７】
図３（ｂ）に示す一般的なアキシャルギャップ型発電機Ｂと異なる部分としては、永久磁石Ｎ，Ｓを取り付ける円形のプレート１３，１４の外周部を内側（図１の上下方向）に一定寸法折り曲げ、折曲部１５，１６の端部が互いに対向するように構成したことにある。
【００１８】
つまり、コアレス型の発電機であるアキシャルギャップ型発電機は、上述した通り、コア付き発電機に比べて漏れ磁束が多くなる欠点を有するので、発電機Ａの外被８に金属を使用した場合、外被８に渦電流が流れ、渦電流損が発生してしまう。
【００１９】
そこで、本発明の発電機Ａでは図１に示すように永久磁石Ｎ，Ｓを取り付けるプレート１３，１４の外周部を一定寸法内側に折り曲げることによって、折曲部１５，１５に磁路を形成して漏れ磁束を有効に低減し、外被８で発生する渦電流損を極力低減するのである。
【００２０】
図２に本発明に係る発電機Ａの要部切欠断面図を示す。図２に示すように、回転子１２のプレート１３，１４の外周部は内側に折り曲げられている。このとき、折曲部１５，１６の寸法は、永久磁石Ｎ，Ｓの厚さ寸法の５０％〜７０％の範囲が適正値である。
【００２１】
これより小さいと漏れ磁束を低減できなくなり、また、これより大きいと折曲部１５，１６間の短絡磁束が増加することとなり、発電機の発電効率が却って低下してしまうからである。
【００２２】
以上説明したように、本発明に係る発電機の回転子構造によれば、コアレス型であるアキシャルギャップ型発電機の外被を金属製とした場合でも、外被で発生する渦電流損を極力低減することができ、発電機の効率を向上させることができる。
【００２３】
また、プレートの外周部の折り曲げ寸法を適正値に設定することにより、短絡磁束を増加させることなく漏れ磁束を低減することができる。
【００２４】
なお、本発明は、発電機Ａを構成する永久磁石Ｎ，Ｓ及びコイル１１の個数を図３，図４に示す個数に限定するものではない。
【産業上の利用可能性】
【００２５】
本発明は、アキシャルギャップ型の発電機に利用可能である。
【符号の説明】
【００２６】
１，１２  回転子
２，３  回転軸
４,５，１３，１４  プレート
６，７  軸受
８  外被（発電機ケース）
９  固定子
１０  コイル支持枠
１１  コイル
１５，１６  折曲部
Ａ  本発明のアキシャルギャップ型発電機
Ｂ  一般的なアキシャルギャップ型発電機
【図１】
2015228756.tif 000003
【図２】
2015228756.tif 000004
【図３】
2015228756.tif 000005
【図４】
2015228756.tif 000006